(57)【要約】【課題】集塵気流によって、非堆積領域に塵埃が侵入し堆積することを防ぐことができる室内用集塵装置を提供する。【解決手段】室内全体に集塵気流を発生させ浮遊塵埃を回収する集塵部４と、遮断気流１０Ａ、１０Ｂをそれぞれ発生させるエアーカーテン部５Ａ、５Ｂを備え、前記エアーカーテン部５Ａ、５Ｂを、上方から見て影になり前記集塵気流が無ければ塵埃が落下しない非堆積領域７Ａ、７Ｂの周囲に配置したもので、非堆積領域７Ａ，７Ｂの周囲に配置されたエアーカーテン部５Ａ、５Ｂが動作することにより、集塵部４によって発生した集塵気流によって非堆積領域７Ａ、７Ｂへ塵埃が侵入し堆積することを防ぐことができ、非堆積領域７Ａ、７Ｂを清潔に保ったまま室内全体の塵埃を回収することができる。【選択図】図１
2011027355.tif 000002
【特許請求の範囲】
【請求項１】
室内全体に集塵気流を発生させ浮遊塵埃を回収する集塵部と、遮断気流を発生させるエアーカーテン部を備え、前記エアーカーテン部を、上方から見て影になり前記集塵気流が無ければ塵埃が落下しない非堆積領域の周囲に配置した室内用集塵装置。
【請求項２】
エアーカーテン部を、非堆積領域へと流れる集塵気流からみて、非堆積領域の上流側のみに配置した請求項１に記載の室内用集塵装置。
【請求項３】
エアーカーテン部を、非堆積領域へと流れる集塵気流からみて、非堆積領域の上流側と下流側に配置した請求項１に記載の室内用集塵装置。
【請求項４】
エアーカーテン部を、集塵部と連携して動作させるようにした請求項１〜３のいずれか１項に記載の室内用集塵装置。
【請求項５】
エアーカーテン部は、非堆積領域から空気を吸引し、その空気を吹出すようにした請求項１〜４のいずれか１項に記載の室内用集塵装置。
【請求項６】
エアーカーテン部を、非堆積領域を囲むように複数配置し、一つのエアーカーテン部から吹出された空気を、隣り合う他のエアーカーテン部で吸引するようにした請求項１〜５のいずれか１項に記載の室内用集塵装置。
【発明の詳細な説明】
【技術分野】
【０００１】
本発明は、室内に気流を発生させ塵埃を集塵部へと集める室内用集塵装置に関するものである。
【背景技術】
【０００２】
従来、この種の室内用集塵装置としては、室内に気流を発生させ塵埃を集める集塵部を備え、その集塵部で気流を変化させることで、塵埃をより確実に回収しているものがあった（例えば、特許文献１参照）。
【０００３】
図４は、前記特許文献１に記載された従来の室内用集塵装置が設置された室内の平面図を示すものである。
【０００４】
図４において、従来の室内用集塵装置は、集塵部１と気流計測装置２によって構成されている。集塵部１は、集塵のための気流を発生させると共に浮遊塵埃を集塵する。気流計測装置２は、集塵部１によって発生した気流が検知できるかによって、気流計測装置２の周囲の浮遊塵埃３が集塵出来るかどうかを判断する。また気流計測装置２は、室内を自由に持ち運ぶことが可能に構成されている。この気流計測装置２の判断に基づいて、集塵部１は、動作を変化させ、気流計測装置２の周囲の浮遊塵埃３を確実に集塵し空気を清浄する。
【先行技術文献】
【特許文献】
【０００５】
【特許文献１】特開平１１−１９３９４４号公報
【発明の概要】
【発明が解決しようとする課題】
【０００６】
しかしながら、前記従来の室内用集塵装置では、集塵のため室内全体に集塵気流を発生させることで、室内に存在する塵埃の総量を減らすことはできるが、例えば家具の内部や家具の下など上方から見て影になり気流が無ければ、塵埃が落下しない非堆積領域においては、この気流によって新たに塵埃が侵入してしまい、従来塵埃が堆積しなかった非堆積領域に塵埃が堆積してしまうという課題を有していた。
【０００７】
本発明は、上記従来の課題を解決するもので、集塵気流によって非堆積領域に塵埃が侵入し堆積することを防ぐことができる室内用集塵装置を提供することを目的とする。
【課題を解決するための手段】
【０００８】
前記従来の課題を解決するために、本発明の室内用集塵装置は、室内全体に集塵気流を発生させ浮遊塵埃を回収する集塵部と、遮断気流を発生させるエアーカーテン部を備え、前記エアーカーテン部を、上方から見て影になり前記集塵気流が無ければ塵埃が落下しない非堆積領域の周囲に配置したもので、非堆積領域の周囲に配置されたエアーカーテン部が動作することにより、集塵部によって発生した集塵気流によって非堆積領域へ塵埃が侵入し堆積することを防ぐことができ、非堆積領域を清潔に保ったまま室内全体の塵埃を回収することができる。
【発明の効果】
【０００９】
本発明の室内用集塵装置は、集塵気流を発生させつつ非堆積領域への塵埃の侵入と堆積を防ぐことができるため、非堆積領域を常に清潔に保ったまま室内全体の塵埃を回収でき
るようになる。
【図面の簡単な説明】
【００１０】
【図１】本実施の形態１における室内用集塵装置が設置された室内の斜視図
【図２】（ａ）同室内用集塵装置が設置された室内の床面付近の気流を示す概略図、（ｂ）同室内用集塵装置の集塵部の動作が変更された時の室内の床面付近の気流を示す概略図
【図３】本実施の形態２における室内用集塵装置が設置された室内の床面付近の気流を示す概略図
【図４】従来の室内用集塵装置が設置された室内の平面図
【発明を実施するための形態】
【００１１】
第１の発明は、室内全体に集塵気流を発生させ浮遊塵埃を回収する集塵部と、遮断気流を発生させるエアーカーテン部を備え、前記エアーカーテン部を、上方から見て影になり前記集塵気流が無ければ塵埃が落下しない非堆積領域の周囲に配置したもので、非堆積領域の周囲に配置されたエアーカーテン部が動作することにより、集塵部によって発生した集塵気流によって非堆積領域へ塵埃が侵入し堆積することを防ぐことができ、非堆積領域を清潔に保ったまま室内全体の塵埃を回収することができる。
【００１２】
第２の発明は、特に、第１の発明のエアーカーテン部を、非堆積領域へと流れる集塵気流からみて、非堆積領域の上流側のみに配置したもので、簡単な構成で非堆積領域を清潔に保つことができる。
【００１３】
第３の発明は、特に、第１の発明のエアーカーテン部を、非堆積領域へと流れる集塵気流からみて、非堆積領域の上流側と下流側に配置したもので、簡単な構成で確実に非堆積領域を清潔に保つことができる。
【００１４】
第４の発明は、特に、第１〜３のいずれか一つの発明のエアーカーテン部を、集塵部と連携して動作させるようにしたもので、より確実に効率よく非堆積領域を清潔に保つことができる。
【００１５】
第５の発明は、特に、第１〜４のいずれか一つの発明のエアーカーテン部は、非堆積領域から空気を吸引し、その空気を吹出すようにしたもので、エアーカーテン部の気流が乱れ非堆積領域に侵入してもエアーカーテン部の気流に塵埃は含まれていないため非堆積領域をより確実に清潔に保つことができる。
【００１６】
第６の発明は、特に、第１〜５のいずれか一つの発明のエアーカーテン部を、非堆積領域を囲むように複数配置し、一つのエアーカーテン部から吹出された空気を、隣り合う他のエアーカーテン部で吸引するようにしたもので、エアーカーテン部の気流が周囲の集塵気流を乱すことがなくなるため、より確実に非堆積領域を清潔に保ったまま室内全体の塵埃を回収できるようになる。
【００１７】
以下、本発明の実施の形態について、図面を参照しながら説明する。なお、本実施の形態によって本発明が限定されるものではない。
【００１８】
（実施の形態１）
本発明の実施の形態１における室内用集塵装置について、図１及び図２を用いて説明する。図１は、本実施の形態における室内用集塵装置が設置された室内の斜視図を示すものである。
【００１９】
図１において、本実施の形態における室内用集塵装置は、それぞれ室内に配された集塵部４と、エアーカーテン部５Ａ、５Ｂから構成されている。また室内には、家具６としてベッド６Ａと棚６Ｂが配置されている。ベッド６Ａの下と棚６Ｂの内部のそれぞれは、上方から見て影になっており、気流が無ければ塵埃が落下しない非堆積領域７Ａ、７Ｂとなっている。
【００２０】
集塵部４は、部屋全体から空気を吸引し、再び室内へと送風を行うことで、室内全体に集塵気流８を発生させ浮遊塵埃９を回収するものである。
【００２１】
本実施の形態では、エアーカーテン部５Ａは、ベッド６Ａの下、すなわち非堆積領域７Ａの周囲に配されると共に、略水平方向に遮断気流１０Ａを発生させて、非堆積領域７Ａに塵埃が侵入するのを防止している。また、エアーカーテン部５Ｂは、棚６Ｂの上部に設けられると共に、略鉛直方向下向に遮断気流１０Ｂを発生させて、棚６Ｂの内部すなわち、非堆積領域７Ｂに塵埃が侵入するのを防止している。
【００２２】
図２（ａ）は、同室内用集塵装置が設置された室内の床面付近の気流を示す概略図を示すものであり、図２（ｂ）は、集塵部４の動作が変更された時の室内の床面付近の気流を示す概略図を示すものである。
【００２３】
図２（ａ）において、室内には、ベッド６Ａと棚６Ｂが設けられており、ベッド６Ａの下部が非堆積領域７Ａ、棚６Ｂの内部が非堆積領域７Ｂとなっている。また、室内には、集塵部４とエアーカーテン部５Ａ、５Ｂが配置されており、室内の床面付近には、集塵部４へと向かう集塵気流８が発生している。集塵気流８の一部は、ベッド６Ａの集塵部４から遠い一辺を上流側とし集塵部４から近い一辺を下流側として、ベッド６Ａの下側を流れている。
【００２４】
ベッド６Ａの周囲に配置されたエアーカーテン部５Ａは、上流側エアーカーテン部１１と下流側エアーカーテン部１２で構成されており、それぞれ遮断気流１０Ａを発生させている。
【００２５】
図２（ｂ）において、集塵部４は、動作を変更しており、よりベッド６Ａから離れた方向から浮遊塵埃９を回収するよう集塵気流８を変化させている。
【００２６】
集塵気流８の変化に伴って、ベッド６Ａの下を流れる集塵気流８は弱まっており、逆に棚６Ｂの近くを流れる集塵気流８は強くなっている。
【００２７】
本実施の形態では、集塵部４が動作を変更するのに連携して、エアーカーテン部５Ａ、５Ｂも動作を変更しており、エアーカーテン部５Ａのうち下流側エアーカーテン部１２は動作しておらず、またエアーカーテン部５Ｂはより強く動作している。
【００２８】
また集塵部４とエアーカーテン部５Ａ、５Ｂは連携して動作する構成となっている。
【００２９】
以上のように構成された本実施の形態における室内用集塵装置について、以下その動作、作用を説明する。
【００３０】
まず室内用集塵装置が動作されると、集塵部４が室内全体に集塵気流８を発生させる。
【００３１】
ベッド６Ａの下の非堆積領域７Ａには、常に集塵気流８が流れ、棚６Ｂの内部の非堆積領域７Ｂでは、集塵気流８に乱れが生じた場合や棚６Ｂの周囲で発生する微細な乱流によって非堆積領域７Ｂへと流れ込む気流が発生する。
【００３２】
集塵気流８によって浮遊塵埃９は、集塵部４へと移動されるが、浮遊塵埃９の一部は、集塵部４へと移動する最中に床面へと落下してしまう。集塵部４のみが動作した場合、集塵気流８が部屋全体を流れ、非堆積領域７Ａ、７Ｂにも流れるため、浮遊塵埃９も部屋中を移動する。そのため集塵気流８が無ければ、浮遊塵埃９が落下することがなかった非堆積領域７Ａ、７Ｂにも浮遊塵埃９を運び床面上に浮遊塵埃を堆積させてしまう。
【００３３】
そこで、本実施の形態では、集塵部４が動作されると、それに連携して、エアーカーテン部５Ａ、５Ｂが動作し、非堆積領域７Ａ、７Ｂへの浮遊塵埃９の侵入を防ぐよう遮断気流１０Ａ、１０Ｂを発生させる。またエアーカーテン部５Ａ、５Ｂは、集塵部４の動作に応じてその動作を変化させる。
【００３４】
集塵部４が、部屋全体から均等に塵埃を集めるよう動作した場合には、ベッド６Ａの下にも強い集塵気流８が発生するため上流側エアーカーテン部１１と下流側エアーカーテン部１２を同時に動作させ、両方で遮断気流１０Ａを発生させる。また、棚６Ｂは、部屋の隅に置かれ集塵気流８の影響を受けにくいため弱い遮断気流１０Ｂを発生させる。
続いて集塵部４は、浮遊塵埃９をより効率良く回収するため、集塵気流８の向きを変える。集塵気流８が、ベッド６Ａから離れて棚６Ｂの方向から集塵部４へと流れる場合に、ベッド６Ａ下の集塵気流８は弱まり、棚６Ｂの周囲に強い集塵気流８が形成される。
【００３５】
集塵部４の動作の変更に伴い、エアーカーテン部５Ａでは、上流側エアーカーテン部１１のみを動作させて遮断気流１０Ａを発生させ、下流側エアーカーテン部１２を停止させる。またエアーカーテン部５Ｂでは、遮断気流１０Ｂをより強く発生させるようにする。
【００３６】
このように、集塵部４の動作の変更に伴い、エアーカーテン部５Ａ、５Ｂの動作を変化させることで、最低限の動作で確実に非堆積領域７Ａ、７Ｂへの浮遊塵埃９の侵入を防ぐことができる。
【００３７】
なお、本実施の形態において、エアーカーテン部５Ａ、５Ｂは、遮断気流１０Ａ、１０Ｂによって浮遊塵埃９の非堆積領域へ侵入を防ぐ構成としたが、静電気により浮遊塵埃９の侵入を防ぐ構成としてもかまわない。
【００３８】
（実施の形態２）
図３は、本実施の形態２における室内用集塵装置が設置された室内の床面付近の気流を示す概略図を示すものである。なお、上記実施の形態１における室内用集塵装置と同一部分には、同一符号を付してその説明を省略する。
【００３９】
図３において、本実施の形態における室内用集塵装置は、それぞれ室内に配された集塵部４と、エアーカーテン部５Ａから構成されている。また室内には、家具６としてベッド６Ａが配置されている。ベッド６Ａの下は、非堆積領域７Ａとなっている。集塵部４は、部屋全体から空気を吸引し、再び室内へと送風を行うことで室内全体に集塵気流８を発生させ浮遊塵埃９を回収している。
【００４０】
本実施の形態では、エアーカーテン部５Ａは、ベッド６Ａの周囲に配置されて、非堆積領域７Ａへの塵埃の侵入を防ぐため遮断気流１０Ａを発生させるもので、吹き出し部１３と、２台の中継部１４Ａ、１４Ｂと、吸引部１５の合計４台で構成されている。
【００４１】
吹き出し部１３は、ベッド６Ａの下の非堆積領域７Ａから空気を吸引し遮断気流１０Ａとして中継部１４Ａに向けて吹き出す。中継部１４Ａでは、吹き出し部１３からの遮断気流１０Ａを吸引し、さらに、次の中継部１４Ｂに向けて吹き出す。中継部１４Ｂでも、同
様に中継部１４Ａから吹き出された遮断気流１０Ａを吸引し、吸引部１５に向けて吹き出す。吸引部１５では、中継部１４Ｂから送られてきた遮断気流１０を吸引し、吸引した空気をベッド６Ａの下の非堆積領域７Ａへと戻す。
【００４２】
以上のように構成された本実施の形態における室内用集塵装置について、以下その動作、作用を説明する。
【００４３】
まず室内用集塵装置が動作されると、集塵部４が、室内全体に集塵気流８を発生させる。それによってベッド６Ａの下の非堆積領域７Ａには常に集塵気流８が流れるようになる。
【００４４】
集塵気流８に伴って、浮遊塵埃９が非堆積領域７Ａに侵入しようとするため、本実施の形態ではエアーカーテン部５Ａが動作される。
【００４５】
エアーカーテン部５Ａでは、遮断気流１０Ａが形成される。吹き出し部１３は、ベッド６Ａの下の非堆積領域７Ａから空気を吸引し遮断気流１０Ａを形成する。遮断気流１０Ａは吹き出し部１３から中継部１４Ａと、中継部１４Ｂを経て吸引部１５へと流れ、吸引部１５では、遮断気流１０Ａを非堆積領域７Ａに戻す。
【００４６】
このような動作によって、ベッド６Ａの周囲には遮断気流１０Ａが形成される。遮断気流１０Ａは、非堆積領域７から吸引されるため浮遊塵埃９を含まない気流となっている。またその遮断気流１０Ａが、最終的に非堆積領域７へと戻されるため、非堆積領域７内に流入する気流は発生せず、非堆積領域７および遮断気流１０Ａは、浮遊塵埃９を含まず清潔に保たれる。
【００４７】
また遮断気流１０Ａは、吹き出し部１３と、２台の中継部１４及び吸引部１５が設置された部分にのみ形成されるため、周囲の集塵気流８に大きな影響を与えることがない。
【００４８】
なお、上記実施の形態における構成は、必要に応じて適宜組み合わせて使用することができるものであり、本発明は、上記実施の形態そのものの構成に限られるものではない。
【産業上の利用可能性】
【００４９】
以上のように、本発明にかかる室内用集塵装置は、集塵気流によって、非堆積領域に塵埃が侵入し堆積することを防ぐことができるもので、一つの空間に気流を発生させる各種機器に適用できる。
【符号の説明】
【００５０】
４  集塵部
５Ａ、５Ｂ  エアーカーテン部
６  家具
７Ａ、７Ｂ  非堆積領域
８  集塵気流
９  浮遊塵埃
１０Ａ、１０Ｂ  遮断気流
【図１】
2011027355.tif 000003
【図２】
2011027355.tif 000004
【図３】
2011027355.tif 000005
【図４】
2011027355.tif 000006